(57)【要約】【課題】ポップアップさせるため、相互に一部が重なるように折り畳んだ状態の衛生シートを取り出した際、次に続く衛生シートが共に取り出されるという「ズル」が生じ難い衛生シートを提供すること。【解決手段】各衛生シートは、第２領域１０ｂの一端側には、第１領域１０ａが形成され、第２領域の他端側には、第３領域１０ｃが配置され、第１領域は、第２領域の下方側に配置され、第３領域は、第１領域の下方側に配置され、第１の衛生シート１０の第３領域の少なくとも一部が、次に取り出し予定の第２の衛生シート１１の第１領域１１ａと第３領域１１ｃの間に配置され、第１の衛生シートの第１領域と第２領域の間の第１の折り曲げ部１０ｄが、第２の衛生シートの第１領域と第２領域の間の第２の折り曲げ部１１ｄと対向して配置される衛生シート１０、１１。【選択図】図６
2011062443.tif 000002
【特許請求の範囲】
【請求項１】
取出口を有する容器内に折り畳まれて複数収容される衛生シートであって、
各衛生シートは、順番に取り出し可能な構成となっていると共に、第１領域、第２領域及び第３領域を有し、
前記第２領域の一端側には、前記第１領域が形成され、
前記第２領域の他端側には、前記第３領域が配置され、
前記第２領域は、前記取出口側である前記容器の上方側に配置され、
前記第１領域は、前記衛生シートを折ることで、前記第２領域の下方側に配置され、
前記第３領域は、前記衛生シートを折ることで、前記第１領域の下方側に配置され、
第１の前記衛生シートの前記第３領域の少なくとも一部が、次に取り出し予定の第２の前記衛生シートの前記第１領域と前記第３領域の間に配置され、
前記第１の衛生シートの前記第１領域と前記第２領域の間の第１の折り曲げ部が、前記第２の衛生シートの前記第１領域と前記第２領域の間の第２の折り曲げ部と対向して配置されることを特徴とする衛生シート。
【請求項２】
前記第１の衛生シートの前記第１領域、前記第２領域及び前記第１の折り曲げ部と、前記第２の衛生シートの前記第１領域、前記第２領域及び前記第２の折り曲げ部が、非接触状態で配置されることを特徴とする請求項１に記載の衛生シート。
【請求項３】
前記第１の衛生シートの前記第３領域と前記第２の衛生シートの前記第１領域との重なり面積が、前記第２の衛生シートの前記第１領域と前記第２領域との重なり面積と、ほぼ等しく、かつ、前記第１の衛生シートの前記第３領域が、前記第２の衛生シートの前記第２領域と非接触状態が維持される構成となっていることを特徴とする請求項１又は請求項２に記載の衛生シート。
【請求項４】
前記第１の衛生シートの前記第３領域の端部と、前記第２の衛生シートの前記第１領域の端部が、ほぼ同じ位置で重なる構成となっていることを特徴とする請求項１乃至請求項３のいずれかの記載の衛生シート。
【請求項５】
次に取り出し予定の前記第２の衛生シートの前記第１領域と前記第３領域の間に配置された前記第１の前記衛生シートの前記第３領域における取出し方向の長さが、前記第２の衛生シートの前記第１領域における取出し方向の長さの２００％以上であることを特徴とする請求項１乃至請求４のいずれかに記載の衛生シート。
【請求項６】
前記衛生シートが、薬液を含浸されているウェットティシュであることを特徴とする請求項１乃至請求項５のいずれかに記載の衛生シート。
【発明の詳細な説明】
【技術分野】
【０００１】
本発明は、例えば、ティシュ等のように折り畳まれて容器等に収容される衛生シートに関するものである。
【背景技術】
【０００２】
従来、例えば、薬液が含浸されている複数のウェットティシュ等を容器等に収容する場合は、それぞれを三つ折りにして、重ねて配置している。そして、利用者は、容器等に形成された取出口から、この重ねられたウェットティシュを上から順に取り出す構成となっている。
また、このように重ねて配置されたウェットティシュは、利用者が取り出し易いように、最も上に配置されているウェットティシュの一部が、取出口から突出するように配置される。これをポップアップ方式という。
【０００３】
すなわち、ポップアップ方式では、１枚のウェットティシュを取出口から取り出すと、その下に配置されているウェットティシュの一部が取出口から突出するように構成される。
このようなポップアップ方式を可能にするためには、容器等に収容されている折りたたまれたウェットティシュの一部が、他のウェットティシュの一部と重なるように配置されている必要がある。
そして、このようにウェットティシュを配置するための折り方が従来から種々提案されてきた（例えば、特許文献１）。
【先行技術文献】
【特許文献】
【０００４】
【特許文献１】特開２００７−１４４０５３号公報（図２等）
【発明の概要】
【発明が解決しようとする課題】
【０００５】
ところで、特許文献１の折り方は、変形Ｚ折り等と呼ばれている。図７（ａ）は、特許文献１の変形Ｚ折りで折られたウェットティシュの積層状態を示す概略説明図であり、図７（ｂ）は、図７（ａ）の上側に配置されたウェットティシュを取出口から取出すときの状態を示す概略説明図である。
図７（ａ）に示すように、ウェットティシュ１、２は、容器３内に三つ折りにされた状態で配置されている。また、容器３には、利用者がウェットティシュ１等を取り出すための取出口３ａが形成されている。
ウェットティシュ１等の折り方は次のようになっている。すなわち、先ず、ウェットティシュ１は、図７（ａ）の取出口３ａ側に配置される第１領域１ａと、この第１領域１ａの下側に折られて配置される第２領域１ｂと、この第２領域１ｂの下側に折られて配置される第３領域１ｃとを有するように三つ折りにされる。
また、その下方に配置されるウェットティシュ２は、その第１領域２ａの一部が、上記ウェットティシュ１の第１領域１ａと第２領域１ｂとの間に挟まるように配置される構成となっている。
【０００６】
したがって、利用者が図７（ａ）の取出口３ａ側に配置されるウェットティシュ１を取り出そうとすると、図７（ｂ）に示す状態となる。
すなわち、ウェットティシュ１の第１領域１ａ及び第２領域１ｂが取出口３ａから排出されると、同時に第１領域１ａ及び第２領域１ｂに挟まれていたウェットティシュ２の第１領域２ａの一部が、ウェットティシュ１の第２領域１ｂ等に張り付いた状態で取出口３ａから排出される。
このとき、張り付いたウェットティシュ２の第１領域１ａの一部が、その後、ウェットティシュ１と離れれば、ウェットティシュ２の第１領域１ａの一部が取出口３ａから突出して上述の「ポップアップ」状態となる。
しかし、この張り付き状態が強い場合があり、その際、ウェットティシュ２は、ウェットティシュ１と離れず、そのまま排出され、いわゆる「ズル」と称される現象が生じるという問題があった。
このため、従来は、取出口３ａの形状を工夫し、張り付いたウェットティシュ２をウェットティシュ１から引き離すような構造を採用せざるを得なかった。しかし、これでは、製造コストの上昇を招くという問題があった。
【０００７】
そこで、本発明は、ポップアップさせるため、相互に一部が重なるように折り畳んだ状態の衛生シートを取り出した際、次に続く衛生シートが共に取り出されるという「ズル」が生じ難い衛生シートを提供することを目的とする。
【課題を解決するための手段】
【０００８】
前記課題は、本発明によれば、取出口を有する容器内に折り畳まれて複数収容される衛生シートであって、各衛生シートは、順番に取り出し可能な構成となっていると共に、第１領域、第２領域及び第３領域を有し、前記第２領域の一端側には、前記第１領域が形成され、前記第２領域の他端側には、前記第３領域が配置され、前記第２領域は、前記取出口側である前記容器の上方側に配置され、前記第１領域は、前記衛生シートを折ることで、前記第２領域の下方側に配置され、前記第３領域は、前記衛生シートを折ることで、前記第１領域の下方側に配置され、第１の前記衛生シートの前記第３領域の少なくとも一部が、次に取り出し予定の第２の前記衛生シートの前記第１領域と前記第３領域の間に配置され、前記第１の衛生シートの前記第１領域と前記第２領域の間の第１の折り曲げ部が、前記第２の衛生シートの前記第１領域と前記第２領域の間の第２の折り曲げ部と対向して配置されることを特徴とする衛生シートにより達成される。
【０００９】
前記構成によれば、第２領域は、取出口側である容器の上方側に配置され、第１領域は、衛生シートを折ることで、第２領域の下方側に配置され、第３領域は、衛生シートを折ることで、第１領域の下方側に配置され、第１の衛生シートの第３領域の少なくとも一部が、次に取り出し予定の第２の衛生シートの第１領域と第３領域の間に配置されている。
このため、取出口から使用者が最初の衛生シートを取り出すときは、第１の衛生シートの第１領域と第２領域の間の第１の折り曲げ部及びその近傍を摘むことで、第１の衛生シートが引き上げられる。
そして、更に、第１の衛生シートが更に引き上げられると、次に取り出し予定の第２の衛生シートの第１領域と第３領域の間に配置されている第１の衛生シートの第３領域が引き上げられる。
【００１０】
このとき、第１の衛生シートの第３領域と共に、この第３領域に張り付いている第２の衛生シートの第１領域も引き上げられる。この第２の衛生の衛生シートの第１領域が引き上げられる、第１領域と第２領域との間の第２の折り曲げ部が、徐々に開くと共に、第１の衛生シートの第３領域と第２の衛生シートの第１領域との張り付きも徐々に解消する。そして、ついには、完全に張り付きが解消すると共に、第２の折り曲げ部がほぼ完全に開いて、非折り曲げ状態となる。
そして、この第２の衛生シートの第２の折り曲げ部が非折り曲げ状態となると、第１領域が取出口から外方へ飛び出す状態で配置される。
このように、上方の第１の衛生シートを引き上げ、取り出すことで、次に取り出し予定の第２のシートの第１領域の一部等を取出口から突出させ、取り出しやすい所謂「ポップアップ」状態とすることができ、所謂「ズル」の発生を確実に防止することができる。
【００１１】
また、前記構成では、第１の衛生シートの第１領域と第２領域の間の第１の折り曲げ部が、第２の衛生シートの第１領域と第２領域の間の第２に折り曲げ部と対向して配置されている。
このため、第１の衛生シートの第１領域と第２領域の間の第１の折り曲げ部と、第２シートの第１領域と第２領域の間の第２の折り曲げ部とが重なり合うことがなく、各衛生シートを重ねた配置したとき、部分的に厚みが厚くなる等の不都合等が発生することがない。
また、第１の折り曲げ部と第２の折り曲げ部とが重なり合うと、その部分が厚くなるが、前記構成では、部分的に厚くならないため、衛生シートが収容された容器を重ねたときでも不安定となることがない。
【００１２】
好ましくは、前記第１の衛生シートの前記第１領域、前記第２領域及び前記第１の折り曲げ部と、前記第２の衛生シートの前記第１領域、前記第２領域及び前記第２の折り曲げ部が、非接触状態で配置されることを特徴とする衛生シートである。
【００１３】
前記構成によれば、第１の衛生シートの第１領域、第第２領域及び前記第１の折り曲げ部と、前記第２の衛生シートの前記第１領域、前記第２領域及び前記第２の折り曲げ部が、非接触状態で配置される。このため、第１の衛生シートの第１領域と第２領域の間の第１の折り曲げ部と、第２の衛生シートの第１の領域と第２領域の第２の折り曲げ部とが重なり合うことを確実に防止することができる。
【００１４】
好ましくは、前記第１の衛生シートの前記第３領域と前記第２の衛生シートの前記第１領域との重なり面積が、前記第２の衛生シートの前記第１領域と前記第２領域との重なり面積と、ほぼ等しく、かつ、前記第１の衛生シートの前記第３領域が、前記第２の衛生シートの前記第２領域と非接触状態が維持される構成となっていることを特徴とする衛生シートである。
【００１５】
前記構成によれば、第１の衛生シートの第３領域と第２の衛生シートの第１領域との重なり面積が、第２の衛生シートの第１領域と第２領域との重なり面積と、ほぼ等しくなっている。
このため、第１の衛生シートの第３領域と第２の衛生シートの第１領域との接合力と、第２の衛生シートの第１領域と第２領域との接合力は、ほぼ等しくなる。
したがって、第１の衛生シートを引き上げると、第１の衛生シートの第３領域と第２衛生シートの第１領域を剥離する力と第２の衛生シートの第１領域と第２領域を剥離する力が均等に働くため、第２の衛生シートが接合したままの状態（所謂「ズル」）を発生することなく、第２の衛生シートを第１領域を取出口から突出させ、取り出しやすい状態（所謂「ポップアップ」）とすることができる。
また、前記構成によれば、第１の衛生シートの第３領域が、第２の衛生シートの第２領域と非接触状態が維持される構成となっているので、第１の衛生シートの第３領域が、第２の衛生シートの第１領域及び第２領域を一緒に引き上げてしまうことを未然に防止することができ、所謂「ズル」の発生をより確実に防止することができる。
【００１６】
好ましくは、前記第１の衛生シートの前記第３領域の端部と、前記第２の衛生シートの前記第１領域の端部が、ほぼ同じ位置で重なる構成となっていることを特徴とする衛生シートである。
【００１７】
前記構成によれば、第１の衛生シートの第３領域の端部と、第２の衛生シートの第１領域の端部が、ほぼ同じ位置で重なる構成となっている。
このため、第１の衛生シートの第３領域と第２の衛生シートの第１領域との接合力と、第２の衛生シートの第１領域と第２領域との接合力は、ほぼ等しくなる。
したがって、第１の衛生シートを引き上げると、第１の衛生シートの第３領域と第２衛生シートの第１領域を剥離する力と第２の衛生シートの第１領域と第２領域を剥離する力が均等に働くため、第２の衛生シートが接合したままの状態（所謂「ズル」）を発生することなく、第２の衛生シートの第１領域を取出口から突出させ、取り出しやすい状態（所謂「ポップアップ」）とすることができる。
【００１８】
好ましくは、次に取り出し予定の前記第２の衛生シートの前記第１領域と前記第３領域の間に配置された前記第１の前記衛生シートの前記第３領域における取出し方向の長さが、前記第２の衛生シートの前記第１領域における取出し方向の長さの２００％以上であることを特徴とする衛生シートである。
【００１９】
前記構成によれば、次に取り出し予定の第２の衛生シートの第１領域と第３領域の間に配置された第１の前記衛生シートの第３領域における取出し方向の長さが、第２の衛生シートの第１領域における取出し方向の長さの２００％以上となっている。
このため、第１の衛生シートの取出し後、第２の衛生シートの第１領域が取出口から突出して配置されるという所謂「ポップアップ」の確実性を高めることができる。
【００２０】
好ましくは、前記衛生シートが、薬液を含浸されているウェットティシュであることを特徴とする衛生シートである。
【発明の効果】
【００２１】
本発明は、ポップアップさせるため、相互に一部が重なるように折り畳んだ状態の衛生シートを取り出した際、次に続く衛生シートが共に取出されるという「ズル」が生じ難い衛生シートを提供できるという利点がある。
【図面の簡単な説明】
【００２２】
【図１】本発明の実施の形態に係る、折り畳んだ衛生シートである例えば、折り畳んだウェットティシュを複数積層したウェットティシュ群を容器に収容した状態を示す概略説明図である。
【図２】（ａ）は、上側ウェットティシュの展開図等を示す概略説明図であり、（ｂ）は、下側ウェットティシュの展開図等を示す概略説明図である。
【図３】上側ウェットティシュの一部が引き上げられた状態を示す概略説明図である。
【図４】上側ウェットティシュの一部が引き出される状態を示す他の概略説明図である。
【図５】上側ウェットティシュの一部が引き出される状態を示す他の概略説明図である。
【図６】上側ウェットティシュの全体が引き出された状態を示す概略説明図である。
【図７】（ａ）は、特許文献１の変形Ｚ折りで折られたウェットティシュの積層状態を示す概略説明図であり、（ｂ）は、（ａ）の上側に配置されたウェットティシュを取出口から取出すときの状態を示す概略説明図である。
【発明を実施するための形態】
【００２３】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２４】
図１は、本発明の実施の形態に係る、折り畳んだ衛生シートである例えば、折り畳んだウェットティシュを複数積層したウェットティシュ群を容器１２に収容した状態を示す概略説明図である。
図１に示すように、容器１２は、薬液等を含浸させたウェットティシュを取り出すための取出口１２ａを有している。この取出口１２ａは、図１に示すように、容器１２の上面の中央部分に形成されている。また、容器１２内には、上側に配置されるウェットティシュである上側ウェットティシュ１０（第１の衛生シートの一例）と、その下側に配置される下側ウェットティシュ１１（第２の衛生シートの一例）を有している。
【００２５】
上側ウェットティシュ１０は、取出口１２ａ側である上方側に配置される上側ウェットティシュの第２領域１０ｂと、この上側ウェットティシュの第２領域１０ｂの一端側、図１では左側に折り曲げて、上側ウェットティシュ１０の第２領域１０ｂの下方側に重なって配置されている上側ウェットティシュの第１領域１０ａとを有している。
さらに、上側ウェットティシュ１０は、上側ウェットティシュの第２領域１０ｂの他端側、図１では右側に折り曲げて、上側ウェットティシュの第１領域１０ａの下方側に配置されると共に、その一部が下側ウェットティシュ１１の第１領域１１ａと第３領域１１ｃの間に重なって配置されている第３領域１０ｃを有している。
【００２６】
そして、これら下側ウェットティシュ１１の第１領域１１ａと、上側ウェットティシュ１０の第３領域１０ｃの重なり合う領域は、図１のＬ１で示す部分であり、上側ウェットティシュ１０の第３領域１０ｃの取り出し方向、図１の横方向において、第３領域１０ｃの長さは、Ｌ１で示す部分の長さの２００％以上となっている。
これら、上側ウェットティシュ１０と下側ウェットティシュ１１の図１において重なった部分は、ウェットティシュに薬液が含侵されているため、相互に張り付くように配置されている。
【００２７】
また、図１の上側ウェットティシュ１０の第１領域１０ａと第２領域１０ｂの折り返し部分である第１の折り曲げ部１０ｄと、下側ウェットティシュ１１の第１領域１１ａと第２領域１１ｂの折り返し部分である第２の折り曲げ部１１ｄは、相互に重なることなく、対向、すなわち折り曲げ部１０ｄ、１１ｄが向かい合うように配置されている。
実際には、図１に示すように、第１の折り曲げ部１０ｄと第２の折り曲げ部１１ｄは、上下方向において、位置を違えて対向しており、さらに下側のウェットティシュの折り曲げ部とは、上側ウェットティシュ１０の第３領域１０ｃを介して、相互に重なり合うことなく、対向して配置される。
なお、本発明における「対向」とは、上述の略同一平面上における「対向」のみならず、上下方向において、位置を違えて、相互に向かい合う「対向」も含まれる。
【００２８】
また、図１に示すように、これら、第１の折り曲げ部１０ｄと第２の折り曲げ部１１ｄは相互に、例えば間隔Ｉだけ空間を設けて、非接触状態で配置されている。
【００２９】
上述のように、図１に示す下側ウェットティシュ１１も上側ウェットティシュ１０と同様に、下側ウェットティシュの第１領域１１ａ、下側ウェットティシュの第２領域１１ｂ、下側ウェットティシュの第３領域１１ｃを有している。
【００３０】
図２（ａ）は、上側ウェットティシュ１０の展開図等を示す概略説明図であり、図２（ｂ）は、下側ウェットティシュ１１の展開図等を示す概略説明図である。
図２（ａ）（ｂ）に示すように、上側ウェットティシュ１０（下側ウェットティシュ１１）の長手方向（ウェットティシュの折り線に対して垂直方向である折り方向に相当）である図のＹ１（Ｙ２）方向における上側ウェットティシュの第３領域１０ｃ（下側ウェットティシュの第３領域１１ｃ）の長さは、全長の約半分程度となっている。
また、上側ウェットティシュの第２領域１０ｂ（下側ウェットティシュの第２領域１１ｂ）と上側ウェットティシュの第１領域１０ａ（下側ウェットティシュの第１領域１１ａ）は、図２（ａ）（ｂ）に示すように、それぞれ、上側ウェットティシュの第３領域１０ｃ（下側ウェットティシュの第３領域１１ｃ）の長さの約半分となっている。
【００３１】
そして、図２（ａ）（ｂ）に示すように、上側ウェットティシュの第２領域１０ｂ（下側ウェットティシュの第２領域１１ｂ）の長さは、上側ウェットティシュの第１領域１０ａ（下側ウェットティシュの第１領域１１ａ）の長さとほぼ等しくなるように形成されている。
【００３２】
このように、上側ウェットティシュ１０と下側ウェットティシュ１１は、共に、同じ構成比率で、第１領域（１０ａ、１１ｂ）、第２領域（１０ｂ、１１ｂ）及び第３領域（１０ｃ、１１ｃ）を有しており、相違点はこれら第１領域（１０ａ、１１ａ）、第２領域（１０ｂ、１１ｂ）及び第３領域（１０ｃ、１１ｃ）の配置順が反対になっており、折り曲げ方向が反対になっているだけである(図２（ａ）（ｂ）参照）。
【００３３】
また、図２に示すように、上側ウェットティシュ１０と下側ウェットティシュ１１は同じ大きさで、第１領域（１０ａ、１１ａ）、第２領域（１０ｂ、１１ｂ）及び第３領域（１０ｃ、１１ｃ）は、同じ構成比率となっているので、図１のように重ねたときに、上側ウェットティシュ１０の第３領域１０ｃと、下側ウェットティシュ１１の第１領域１１ａとの重なり部分の面積は、下側ウェットティシュ１１の第１領域１１ａと第２領域１１ｂの重なり面積とほぼ等しく構成されている。
また、図１に示すように、上側ウェットティシュ１０と下側ウェットティシュ１１が積層されたとき、上側ウェットティシュ１０の第３領域１０ｃの端部１０ｃａと、下側ウェットティシュ１１の第１領域１１ａの端部１１ａｂの位置が、ほぼ同じ位置で重なる構成となっている。すなわち、上側ウェットティシュ１０の第３領域１０ｃが、下側ウェットティシュ１１の第２領域１１ｂと接触せず、非接触の状態を維持できる構成となっている。
【００３４】
なお、下側ウェットティシュ１１の下側に配置される他のウェットティシュは、上側ウェットティシュ１０と同様の構成となっており、下側ウェットティシュ１１の第３領域の一部が他のウェットティシュの第１領域と第３領域の間に配置する構成となっている。
このように、上側ウェットティシュ１０と下側ウェットティシュ１１が交互に連続して配置され、多数のウェットティシュが積層され、容器１２内に収容できる構成となっている。
【００３５】
本実施の形態のウェットティシュ群を収容した容器１２は、上記のように構成されている。すなわち、図の上側ウェットティシュ１０の第１の折り曲げ部１０ｄと、下側ウェットティシュ１１の第２の折り曲げ部１１ｄが対向して配置されているので、これら第１の折り曲げ部１０ｄと第２の折り曲げ部１１ｄとが重なり合うことがなく、図１に示すように上側ウェットティシュ１０、下側ウェットティシュ１１等を積層して配置したとき部分的に厚みが厚くなる等の不都合が発生することを未然に防止することができる。
また、第１の折り曲げ部１０ｄと第２の折り曲げ部１１ｄとが重なり合うことがないので、部分的に厚くなり、ウェットティシュ群を収容した容器１２を複数個、重ねたとき不安定となることがない。
【００３６】
また、図１に示すように、第１の折り曲げ部１０ｄと第２の折り曲げ部１１ｄとが、間隔Ｉを介して非接触状態で配置されているので、これらが重なり合うことをより確実に防止することができる。
【００３７】
本実施の形態に係るウェットティシュ群は、容器１２内に上述のように配置されているが、以下、このように構成されたウェットティシュ群の動きを、上側ウェットティシュ１０及び下側ウェットティシュ１１を例に詳細に説明する。
先ず、利用者が、図１の取出口１２ａから上側ウェットティシュ１０の第１の折り曲げ部１０ｄ又はその近傍を摘んで引き上げると、図３に示すように、上側ウェットティシュ１０の第１領域１０ａ及び第２領域１０ｂが第１の折り曲げ部１０ｄと共に、上方に引き上げられる。
このとき、上側ウェットティシュ１０の第２領域１０ｂと第３領域１０ｃの折り曲げ部分は開き、第３領域１０ｃが上方に移動するに従い、この第３領域１０ｃと重なり、張り付いている下側ウェットティシュ１１の第１領域１１ａも上側に若干移動する。
この第１領域１１ａの移動により、これと重なり、張り付いている下側ウェットティシュ１１の第２領域１１ｂも若干、上方へ移動する。
しかし、下側ウェットティシュ１１の第３領域１１ｃは、その下のウェットティシュの第１領域と第３領域に挟まれ、且つ、更にその下のウェットティシュの第２領域に張り付いているため、移動しない。
このときの状態を示したのが図３であり、図３は、上側ウェットティシュ１０の一部が引き上げられた状態を示す概略説明図である。
【００３８】
図３の状態から利用者が、更に上側ウェットティシュ１０を引き上げた状態が図４である。図４は、上側ウェットティシュ１０の一部が引き出される状態を示す他の概略説明図である。
図４に示すように、上側ウェットティシュ１０が、利用者によって更に引き上げられると、上側ウェットティシュ１０の第３領域１０ｃと重なり、張り付いている下側ウェットティシュ１１の第１領域１１ａ、この第１領域１１ａと重なり、張り付いている第２領域１１ｂが、上側ウェットティシュ１０の第３領域１０ｃと共に、上に引き上げられる。
このとき、下側ウェットティシュ１１の第３領域１１ｃは、その２枚下のウェットティシュの第２領域との重なりが、図において左側から徐々に解放されることになる。
【００３９】
図４の状態から利用者が、更に上側ウェットティシュ１０を引き上げた状態が図５である。図５は、上側ウェットティシュ１０の一部が引き出される状態を示す他の概略説明図である。
図５に示すように、上側ウェットティシュ１０が、利用者によって更に引き上げられると、上側ウェットティシュ１０の第３領域１０ｃと重なり、張り付いている下側ウェットティシュ１１の第１領域１１ａと第２領域１１ｂは、第２の折り曲がり部１１ｄの折り曲がり状態を維持しつつ、容器１２の取出口１２ａから外部に排出される。
すなわち、この下側ウェットティシュ１１の第１領域１１ａ及び第２領域１１ｂが、取出口１２ａから突出されることで、所謂「ポップアップ」状態となる。
このように、本実施の形態では、上側ウェットティシュ１０が引き出されると、次の使用予定の下側ウェットティシュ１１の一部が容器１２の取出口１２ａから確実に突出する構成となっている。
【００４０】
一般に、図５に示すように、次に使用予定の下側ウェットティシュ１１の一部を確実に取出口１２ａから突出させるように構成すると、突出状態に止まらず、そのまま、上側ウェットティシュ１０と重なって、下側ウェットティシュ１１全体が取出口１２ａから排出される、所謂「ズル」が発生し易くなる傾向にある。
そこで、本実施の形態では、かかる「ズル」の発生を防ぐために以下のようになっている。
図５の状態から利用者が、更に上側ウェットティシュ１０を引き上げた状態が、図６である。図６では、上側ウェットティシュ１０の全体が引き出された状態を示す概略説明図である。
【００４１】
図６に示すように、上側ウェットティシュ１０の全体が、取出口１２ａから引き出されると、下側ウェットティシュ１１の第３領域１１ｃも、それに引っ張られ、取出口１２ａから排出する方向に力を受けることになる。
しかし、本実施の形態では、下側ウェットティシュ１１の第３領域１１ｃの一部は、次のウェットティシュの第１領域と第３領域の間に配置され、張り付いているため、下側ウェットティシュ１１は、全体が取出口１２ａから排出されることなく、所謂「ズル」の発生を未然に防ぐことができる。
また、下側ウェットティシュ１１に引き出す方向の力が加わると、図６の第２の折り曲げ部１１ｄが矢印Ｒ１方向に徐々に開く、すると、上側ウェットティシュ１０の第３領域１０ｃと下側ウェットティシュ１１の第１領域１１ａの重なりも、徐々に解消（解放）される。
すなわち、図６の上から下方向（矢印Ｙ方向）に向かって徐々に重なりが解消され、この重なりの解消によって、下側ウェットティシュ１１に対して加わる引き出し力を逃がし、所謂「ズル」の発生を抑える構成となっている。
【００４２】
そして、図６の状態から利用者が更に上側ウェットティシュ１０を引き上げると、第２の折り曲げ部１１ｄはＲ１方向に更に開き、ついには、折り曲げ部１１ｄがほぼ完全に開き、このとき、上側ウェットティシュ１０との重なりも解消される。
このように本実施の形態では、所謂「ポップアップ」状態が確実に発生するようにすると共に、所謂「ズル」の発生も確実に抑えることができるウェットティシュ群を収容した容器１２となる。
【００４３】
また、本実施の形態では、図１及び図２に示すように、上側ウェットティシュ１０の第３領域１０ｃと下側ウェットティシュ１１の第１領域１１ａとの重なり合う面積が、下側ウェットティシュ１１の第１領域１１ａと第２領域１１ｂとの重なり合う面積とほぼ等しくなっている。
また、図１に示すように、上側ウェットティシュ１０と下側ウェットティシュ１１が積層されたとき、上側ウェットティシュ１０の第３領域１０ｃの端部１０ｃａと、下側ウェットティシュ１１の第１領域１１ａの端部１１ａｂの位置が、ほぼ同じ位置で重なる構成となっている。すなわち、上側ウェットティシュ１０の第３領域１０ｃが、下側ウェットティシュ１１の第２領域１１ｂと接触せず、非接触の状態を維持できる構成となっている。
【００４４】
このため、上側ウェットティシュ１０の第３領域１０ｃと下側ウェットティシュ１１の第１領域１１ａと第２領域１１ｂとの接合力は、ほぼ等しくなる。
したがって、上側ウェットティシュ１０を利用者が引き上げると、上側ウェットティシュ１０の第３領域１０ｃと下側ウェットティシュ１１の第１領域１１ａを剥離する力と、下側ウェットティシュ１１の第１領域１１ａと第２領域１１ｂを剥離する力が均等に働くため、下側ウェットティシュ１１が接合したままの状態（所謂「ズル」）が発生することなく、下側ウェットティシュ１１の第１領域１１ａを取出口１２ａから突出させ、取り出しやすい状態（所謂「ポップアップ」）とすることができる。
【００４５】
また、上側ウェットティシュ１０の第３領域１０ｃが、下側ウェットティシュ１１の第２領域１１ｂと非接触状態が維持される構成となっているので、上側ウェットティシュ１０の第３領域１０ｃが、下側ウェットティシュ１１の第１領域１１ａ及び第２領域１１ｂを一緒に引き上げてしまうことを未然に防止することができ、所謂「ズル」の発生をより確実に防止することができる。
さらに、下側ウェットティシュ１１の第１領域１１ａと、上側ウェットティシュ１０の第３領域１０ｃの重なり合う領域は、図１のＬ１で示す部分であり、上側ウェットティシュ１０の第３領域１０ｃの取り出し方向、図１の横方向において、第３領域１０ｃの長さは、Ｌ１で示す部分の長さの２００％以上となっている。
このため、上側ウェットティシュ１０の取出し後、第２の衛生シートの第１領域１０ａが取出口１２ａから突出して配置されるという所謂「ポップアップ」の確実性を高めることができる。
【００４６】
本発明は、上述の各実施の形態に限定されない。また、上述の各実施の形態は、相互に組み合わせて構成するようにしてもよい。
【符号の説明】
【００４７】
１０・・・上側ウェットティシュ、１０ａ・・・第１領域、１０ｂ・・・第２領域、１０ｃ・・・第３領域、１０ｃａ・・・端部、１０ｄ・・・第１の折り曲げ部、１１・・・下側ウェットティシュ、１１ａ・・・第１領域、１１ａｂ・・・端部、１１ｂ・・・第２領域、１１ｃ・・・第３領域、１１ｄ・・・第２の折り曲げ部、１２・・・容器、１２ａ・・・取出口
【図１】
2011062443.tif 000003
【図２】
2011062443.tif 000004
【図３】
2011062443.tif 000005
【図４】
2011062443.tif 000006
【図５】
2011062443.tif 000007
【図６】
2011062443.tif 000008
【図７】
2011062443.tif 000009